(57)【特許請求の範囲】
【請求項１】
建物の外壁を上下左右に並設し立設する複数枚の合わせガラス板からなるガラススクリーンとした時に、２階以上の非常用進入口のガラス板構成を、ガラス板の中央部に円形状又は矩形状にくり抜いた開口部を有する室内側ガラスおよび中間膜と、全面をガラス板とした室外側ガラスとを接着させた合わせガラスとして非常用進入口部を単板構成としたことを特徴とするガラススクリーンの非常用進入口構造。
【請求項２】
前記非常用進入口を設ける階を高さ３１ｍ以下の部分にある３階以上の階としたことを特徴とする請求項１記載のガラススクリーンの非常用進入口構造。
【請求項３】
前記進入口の開口部の大きさが幅７５０ｍｍ以上、高さ１２００ｍｍ以上、又はφ１０００ｍｍ以上とし、床面より進入口下端までの高さを８００ｍｍ以下としたことを特徴とする請求項１または２記載のガラススクリーンの非常用進入口構造。
【請求項４】
前記ガラス板の開口端面部を鏡面研磨したことを特徴とする請求項１乃至３のいずれか一つに記載のガラススクリーンの非常用進入口構造。
【請求項５】
前記ガラススクリーンとして、上下左右に並設し立設する複数枚のガラス板の四隅部に穿設部を設け、該穿設部をボルトとナットで締付螺合した支持金具によって支持されるガラススクリーンであることを特徴とする請求項１乃至４のいずれか一つに記載のガラススクリーンの非常用進入口構造。
【請求項６】
前記ガラススクリーンとして、上下左右に並設し立設する複数枚のガラス板に孔明けせずに、突き合わせ目地部に挿通した支持金具によって支持されるガラススクリーンであることを特徴とする請求項１乃至４のいずれか一つに記載のガラススクリーンの非常用進入口構造。
【請求項７】
前記ガラススクリーンが構造用シーリング材によって接着支持されたガラススクリーンであることを特徴とする請求項１乃至４のいずれか一つに記載のガラススクリーンの非常用進入口構造。
【発明の詳細な説明】
【０００１】
【発明の属する技術分野】
本発明は、建物の外壁等をガラススクリーンとした時の非常用進入口構造に関する。
【０００２】
【従来の技術】
ビル等の建築物については、火災時その他の非常事態の発生時に消防士、救急隊等による消火活動や、救助活動のため建物外部から進入できるように非常用の進入口を設けることが建築基準法で義務づけられている。
【０００３】
前記建築基準法の第１２６条の６によれば、非常用の進入口として、エレベーター等が設置されている等の一部例外を除いて、建築物の高さ３１メートル以下の部分にある三階以上の階には、非常用の進入口を設けなければならないとされ、進入口の間隔は４０メートル以下であり、進入口の幅、高さ及び下端の床面からの高さが、それぞれ７５０ｍｍ以上、１２００ｍｍ以上及び８００ｍｍ以下であるという条件が少なくとも義務づけられている。
【０００４】
また、前記進入口に代えて代用進入口として直径１ｍ以上の円が内接するものでも良いとされている。
【０００５】
ところで、近年、ビル等の建物の外壁材として、高級感があり、明るく開放的な空間を演出できる透明なガラス板を多く取り入れたガラススクリーンが多く採用されるようになっている。
【０００６】
前記ガラススクリーンとしては、方形なガラス板の各辺を室内側に設けたサッシ枠に構造用シーリング材によって接着させて、屋外から見た時にサッシ枠が屋外面に露出しないフレームレスな構造としたＳＳＧ接着工法（Structural Sealant Glazing）や、ガラス板を金属製の点支持金具で支持する点支持工法（Dot Point Glazing）等が、近年注目され、良く使われるようになっている。
【０００７】
【発明が解決しようとする課題】
これらのガラススクリーンが、建物の高層階にまで及ぶようになると、ガラス板の破損時の落下を防ぐために合わせガラスを用いるのが安全上有効である。
【０００８】
しかしながら、ガラススクリーンが３階以上の階に及ぶ場合には、３階以上の各階に所定間隔で前記非常用進入口を設けなければならないが、非常用進入口部分のガラス板を進入口以外の部分と同じ合わせガラスのままにした場合、合わせガラスを構成するガラス板をハンマー等でうち破っても、ガラス片が中間膜に強固に接着されているために、進入することができない。
【０００９】
このため、進入口４となるガラス板は、非常時にうち破り可能な板厚の単板ガラスや、パネル材７を嵌め込むことが行われるが、進入口４とするガラス板１’を単板ガラスとする場合には、該単板ガラス１’を支持するために、該単板ガラス１’の周辺部にサッシ枠５を設けざるを得ず、また、進入口４にガラス板以外のパネル材を嵌め込む場合には、図４、図５に示すように、パネル材７の中にサッシ枠５に囲まれた開閉自在なガラス板１’からなる進入口４を設けることも行われている。
【００１０】
特に、点支持工法によってガラススクリーン１０を形成する場合には、縦横に並設した透明なガラス板１’の中に進入口４のために設けられた前記の不透明なパネル材７やサッシ枠５が露出して点在することになり、外観上非常に見苦しく、見栄えの悪いものとなっていた。
【００１１】
【課題を解決するための手段】
本発明は、上記問題点の解決を図る、すなわち、ガラススクリーンの板厚構成を合わせガラスとした場合、非常用進入口を設けても外観上見苦しくなく、風圧荷重にも耐えられる非常用進入口とすることを目的とする。
【００１２】
すなわち、本発明は、建物の外壁を上下左右に並設し立設する複数枚の合わせガラス板からなるガラススクリーンとした時に、２階以上の非常用進入口のガラス板構成を、ガラス板の中央部に円形状又は矩形状にくり抜いた開口部を有する室内側ガラスおよび中間膜と、全面をガラス板とした室外側ガラスとを接着させた合わせガラスとして非常用進入口部を単板構成としたことを特徴とするガラススクリーンの非常用進入口構造である。
【００１３】
あるいは、本発明は、前記非常用進入口を設ける階を高さ３１ｍ以下の部分にある３階以上の階としたことを特徴とする上述のガラススクリーンの非常用進入口構造である。
【００１４】
あるいは、本発明は、前記進入口の開口部の大きさが幅７５０ｍｍ以上、高さ１２００ｍｍ以上、又はφ１０００ｍｍ以上とし、床面より進入口下端までの高さを８００ｍｍ以下としたことを特徴とする上述のガラススクリーンの非常用進入口構造である。
【００１５】
あるいはまた、本発明は、前記ガラス板の開口端面部を鏡面研磨したことを特徴とする上述のガラススクリーンの非常用進入口構造である。
【００１６】
あるいはまた、本発明は、前記ガラススクリーンとして、上下左右に並設し立設する複数枚のガラス板の四隅部に穿設部を設け、該穿設部をボルトとナットで締付螺合した支持金具によって支持されるガラススクリーンであることを特徴とする上述のガラススクリーンの非常用進入口構造である。
【００１７】
あるいはまた、本発明は、前記ガラススクリーンとして、上下左右に並設し立設する複数枚のガラス板に孔明けせずに、突き合わせ目地部に挿通した支持金具によって支持されるガラススクリーンであることを特徴とする上述のガラススクリーンの非常用進入口構造である。
【００１８】
あるいはまた、本発明は、前記ガラススクリーンが構造用シーリング材によって接着支持されたガラススクリーンであることを特徴とする上述のガラススクリーンの非常用進入口構造である。
【００１９】
【発明の実施の形態】
本発明は、図１に示すように、建物の外壁を上下左右に並設し立設する複数枚の合わせガラス板１からなるガラススクリーン１０において、２階以上に位置する階に非常時に屋外から進入可能な非常用進入口４を設けたものである。
【００２０】
図２、図３に示すように、前記ガラススクリーン１０を構成するガラス板１は、合わせガラスとするが、非常用進入口４は、合わせガラス１の中央部の一部を非常用進入口部分として、合わせガラス１を構成する室内側のガラス板１ｂの一部にくり抜き部分を設けて、該くり抜き部分によってガラススクリーン１０全体を合わせガラス１としても非常用進入口４部分であるくり抜き部だけは室外側のガラス板１ａのみの単板構成としたものである。
【００２１】
つまり、合わせガラス１の室内側ガラス板１ｂの中央部に円形状、楕円形状、又は矩形状にくり抜いた開口部を設け、室外側ガラス板１ａにはくり抜き部無しの全面ガラス板として、２枚のガラス板１ａ、１ｂを中間膜３によって接着させたものであるが、該ガラス板１ａ、１ｂ同士を接着させる中間膜３は、該室内側ガラス板１ｂに設けたくり抜き開口部と同形状で同位置にくり抜き開口部を有するようにし、各開口部が一致するようにして接着するものである。
【００２２】
前記非常用進入口４の開口部の大きさは、火災等の緊急時に消防士や救助隊等の人がスムーズに入れるだけの開口部である幅７５０ｍｍ以上、高さ１２００ｍｍ以上の略矩形状、あるいは、φ１０００ｍｍ以上の円が内接する円、又は楕円とするのが良い。
【００２３】
また、非常用進入口４の開口部床面より進入口下端までの高さについても、８００ｍｍ以下とすると、消防士や救助隊員等が進入口から入って床面にスムーズに着地できるので望ましい。
【００２４】
前記非常用進入口４を設ける階は、日本国の建築基準法で定められた高さ３１ｍ以下の部分にある３階以上の階に限らず、それ以外のいずれの階に設けるようにしても良い。
【００２５】
前記非常用進入口４の室内側ガラス板１ｂの開口端面部については、開口部の端面を研磨するのが外観上及び強度上好ましい。特に、屋外側から見て、開口部が目立たないように、鏡面研磨するのがもっとも好ましい。
【００２６】
室外側ガラス板１ａについては、風圧等に耐えられ、かつ非常時に室外側からうち破れる板厚を必要とするので、５ｍｍ以下の強化ガラス、または半強化ガラスが望ましい。
【００２７】
室内側ガラス板１ｂについては、強化ガラス、半強化ガラス、未強化ガラス板のいずれでも良く、その板厚は３ｍｍ以上が望ましいが、特に３ｍｍ以上の板厚に限定されるものではない。
【００２８】
室内側ガラス板１ｂと室外側ガラス板１ａとを接着する中間膜３としては、ＰＶＢ（ポリ・ビニル・ブチラール）膜、ＥＶＡ（エチレン−ビニルアセテート共重合体）膜等が上げられる。
【００２９】
前記ガラススクリーン１０としては、各種の形態のガラス板の支持構造のいずれによるものでも良い。
【００３０】
例えば、図１、図２に示すように、上下左右に並設し立設する複数枚のガラス板１、１、・・の四隅部に穿設部を設け、該穿設部をボルトとナットで締付螺合した支持金具９によって支持されるＤＰＧ工法（Dot Point Glazing）と呼ばれるガラススクリーン１０に適用することができる。
【００３１】
尚、前記支持金具９は、適当な間隔を置いて立設した支持柱８等の構造体によって支持される。
【００３２】
あるいは、上下左右に並設し立設する複数枚のガラス板１、１、・・に孔明けせずに、突き合わせ目地部に挿通した支持金具によって支持されるＭＰＧ工法（Metal Point Glazing）と呼ばれるガラススクリーン１０に適用しても良い。
【００３３】
あるいはまた、前記ガラススクリーン１０を構成する各ガラス板の２辺、又は４辺が構造用シーリング材によって接着支持されたＳＳＧ工法（Structural Sealant Glazing）と呼ばれるガラススクリーンに用いても良い。
【００３４】
尚、本発明の実施例では、各階毎に縦方向にガラス板１枚を配設したが、各階毎に複数枚からなるガラス板を配設するようにしても良い。
【００３５】
【発明の効果】
従来のガラススクリーン中の、非常用進入口部分のガラス板１枚をサッシ枠で囲んだり、不透明なパネル材等からなる非常用進入口に較べて、目障りなサッシ枠が不要となり、全体の透視性がよく、室内外から見ても見栄えも良い。
【００３６】
さらに、合わせガラスの非常用進入口のみをくり抜いた単板構成としたので、ガラス板の面積を大きくすることができ、また大面積としても非常用進入口である単板部分はその内の一部であるので、風圧荷重に充分耐えることができる。
【図面の簡単な説明】
【図１】本発明の実施例のガラススクリーンと進入口の斜視図。
【図２】本発明の実施例の縦断面図。
【図３】本発明の実施例の進入口を拡大した縦断面図。
【図４】従来のガラススクリーンと進入口の斜視図。
【図５】従来の実施例の縦断面図。
【符号の説明】
１        合わせガラス
１ａ      室外側ガラス板
１ｂ      室内側ガラス板
１’      ガラス板
３        中間膜
４        非常用進入口
５        サッシ枠
６        床部
７        パネル材
８        支持柱
９        支持金具
１０        ガラススクリーン
【図１】
0003860027.tif 000002
【図２】
0003860027.tif 000003
【図３】
0003860027.tif 000004
【図４】
0003860027.tif 000005
【図５】
0003860027.tif 000006